(57)【要約】【課題】  底板の強度向上及び中枠側面の強度向上をはかり、収納物の重量や複数回の分解・組立に耐えることができる組立型通箱とする。【解決手段】  次の手段を採用した組立型通箱とする。第１に、上蓋と、中枠と、取り外し自在の底板とに分割する。第２に、底板を、底板本体と周端部より下方に折り曲げ可能な嵌合片を設ける。第３に、中枠を、側壁板部が曲折部で連結された２つの中枠構成材をヒンジ部材で連結して、折り畳み自在の筒状とする。第４に、側壁板部下端部に受け部構成片及びその先端に空部形成片を連設し、受け部構成片を側壁板部の内側に曲折し、空部形成片を側壁板部と受け部構成片との間に向かって曲折し、空部形成片を側壁板部の内側面に保持して、受け部構成片と側壁板部の内側に嵌合空部を形成して受け部とする。第５に、受け部の嵌合空部に嵌合片を嵌合し、受け部上端全周に底板本体を当接させて組み立てる。【選択図】図１
2006225005.tif 000002
【特許請求の範囲】
【請求項１】
上蓋と、上部及び底部が開口した筒状の折り畳み自在中枠と、取り外し自在の底板とに分割された組立型通箱において、
底板を、底板本体と底板本体の周端部より下方に向かって折り曲げ可能な嵌合片を連設したものとし、
中枠を、側壁板部が曲折部で連結された２つの中枠構成材を対角位置に固着されるヒンジ部材で連結して、折り畳み自在の筒状に形成すると共に、
底板の嵌合片の受け部を構成するため、側壁板部下端部に受け部構成片及びその先端に空部形成片を連設し、受け部構成片を側壁板部の内側に曲折し、空部形成片を側壁板部と受け部構成片との間に向かって曲折し、空部形成片を側壁板部の内側面に保持して、受け部構成片と側壁板部の内側に嵌合空部を形成し、
中枠の内側下部に形成された受け部の嵌合空部に底板の嵌合片を嵌合し、受け部上端全周に底板本体を当接させて組み立てることを特徴とする組立型通箱。
【請求項２】
側壁板部の上部に、補強折り返し片を連接し、側壁板部の外側に折り返し、側壁板部に固定したことを特徴とする請求項１記載の組立型通箱。
【発明の詳細な説明】
【技術分野】
【０００１】
本発明は、上蓋、上部及び底部が開口した筒状の折り畳み自在中枠、取り外し自在底板の３つの部材に分割された３ピース式の組立型通箱の改良に関するものであって、特に折り畳み自在中枠と取り外し自在底板に特徴を有する３ピース式の組立型通箱の改良に関するものである。
【背景技術】
【０００２】
従来の通箱には、上蓋、中枠、底板が一体で構成される１ピース式の通箱や、中枠と底板が一体とされ別途上蓋を準備した２ピース式の通箱が一般的であった。しかし、これら従来の通箱にあっては、強度を重視すると折り畳みが利かなかったり、折り畳みを可能とすると形が崩れやすく、特に底板の強度が確保できないといった難点があった。そこで、特許文献１に示されるように、上蓋、上部及び底部が開口した筒状の折り畳み自在中枠、取り外し自在底板の３つの部材に分割された３ピース式の組立型通箱が開発されてきた。
【０００３】
しかし、特許文献１に示される手段では、中枠（特許文献１では箱本体と表記）の内側下部に形成した取り外し自在底板の受け部（特許文献１では舌片と表記）が、折り曲げ状態のままであり、その部分の強度を上げることができず、収納物の重量や複数回の分解や組立に耐えることが困難であるという問題点を有していた。更に、特許文献１記載の組立型箱状容器にあっては、中枠の側面強度を上げることができず、側面からの変形を生ずるといった問題点が存在した。
【０００４】
【特許文献１】特許３３１３０５２号公報
【発明の開示】
【発明が解決しようとする課題】
【０００５】
本発明は、取り外し自在底板や、その受け部の強度を確保し、更に、第2の発明の構成を付加することにより中枠の側面強度を十分確保して、上記問題点を解決した組立型通箱とし、使用前後において保管スペースを少なくすると共に、輸送費の低減に役立つ組立型通箱を提供することを目的とする。
【課題を解決するための手段】
【０００６】
第１の発明は、上記課題を解決するため、次の手段を採用する。
第１に、上蓋と、上部及び底部が開口した筒状の折り畳み自在中枠と、取り外し自在の底板とに分割された組立型通箱とする。
第２に、上記底板を、底板本体と底板本体の周端部より下方に向かって折り曲げ可能な嵌合片を連設したものとする。
第３に、中枠を、側壁板部が曲折部で連結された２つの中枠構成材を対角位置に固着されるヒンジ部材で連結して、折り畳み自在の筒状に形成する。
第４に、底板の嵌合片の受け部を構成するため、側壁板部下端部に受け部構成片及びその先端に空部形成片を連設し、受け部構成片を側壁板部の内側に曲折し、空部形成片を側壁板部と受け部構成片との間に向かって曲折し、空部形成片を側壁板部の内側面に保持して、受け部構成片と側壁板部の内側に嵌合空部を形成する。
第５に、中枠の内側下部に形成された受け部の嵌合空部に底板の嵌合片を嵌合し、受け部上端全周に底板本体を当接させて組み立てることを特徴とする組立型通箱とする。
【０００７】
第２の発明は、上記第１の発明に、側壁板部の上部に、補強折り返し片を連接し、側壁板部の外側に折り返し、側壁板部に固定したことを付加する組立型通箱である。
【発明の効果】
【０００８】
第１の発明では、中枠の内側下部に形成した底板嵌合片の受け部が、側壁板部下端部に受け部構成片及びその先端に空部形成片を連設し、受け部構成片を側壁板部の内側に曲折し、空部形成片を側壁板部と受け部構成片との間に向かって曲折し、空部形成片を側壁板部の内側面に保持して、受け部構成片と側壁板部の内側に嵌合空部を形成したものであるので、中枠と底板の確実な組立ができるだけでなく、底板付近の中枠部分や受け部の強度を上げることが可能となり、収納物の重量や複数回の分解や組立に耐えうる組立型通箱となった。
【０００９】
更に、中枠の内側下部に形成された受け部の嵌合空部に底板の嵌合片を嵌合し、受け部上端全周に底板本体を当接させて組み立てることを特徴とする組立型通箱としたので、底板を中枠にしっかりと組み立てることができる共に、収納物の重量に耐える底板とすることが可能となった。
【００１０】
第２の発明では、上記第１の発明に、側壁板部の上部に、補強折り返し片を連接し、側壁板部の外側に折り返し、側壁板部に固定したことを付加した組立型通箱であるので、中枠上部の補強折り返し片と中枠下部の受け部構成片及び空部形成片が反対方向に折り曲げられて固定され、中枠側面の強度を上げることに成功している。
【発明を実施するための最良の形態】
【００１１】
以下、図面に従って、実施例と共に本発明の実施の最良の形態について説明する。図１は、本発明に係る組立型通箱の１実施例を示す分解斜視図であって、組立型通箱１は、上部及び底部が開口した筒状の折り畳み自在中枠２、取り外し自在の底板３、上蓋４の３つの部材に分割された３ピース式の組立型通箱である。
【００１２】
尚、図示の実施例での組立型通箱１は、平面四角形のものであり、その素材は、後に述べるヒンジ部材２３を除いて樹脂板発泡材を用いることが好ましく、変形せずに再利用可能な強度のものを用いている。
【００１３】
上蓋４は、図１０に平面、図１１に正面が示されているように平面四角形のものであるが、中枠２の上部開口部を閉塞するため中枠２の頂部に嵌合する大きさ及び形状のもであればよく、本発明において特に特徴となる部分ではない。
【００１４】
底板３は、図７の平面図及び図８の正面図に示されるように、中枠２内部に収まる大きさの平面四角形の底板本体３０と、底板本体３０の各辺の左右端部２カ所に形成される嵌合片３１よりなる。尚、図中３２は、補強のため接着された補強板であり、底板本体３０と同形のものである。
【００１５】
嵌合片３１は、底板本体３０に対して曲折自在に連設されている。少なくとも図８及び図９に示すように底板本体３０に対して水平状態より垂直状態に至る範囲で曲折自在である必要がある。尚、実施例での嵌合片３１は、底板本体３０の各辺の左右端部に２枚形成されているが、中枠２の空部形成片２９の構成により１枚の場合もある。また、嵌合片３１の高さは中枠２の受け部に適合した高さとされている。
【００１６】
中枠２は、図２に示すように、２つの側壁板部２０が中央付近の曲折部２１で連結された２枚の中枠構成材２２を図５の平面図に示されるように対角位置に固着されるヒンジ部材２３で連結して折り畳み自在の筒状に形成したものである。図４が折り畳んだ状態を示す中枠２の正面図で、図５が同平面図である。尚、中枠２は、通箱として使用する際には、開いて図１に示されるように上下開口の平面四角形の筒状体として使用される。
【００１７】
ヒンジ部材２３は、柔軟性ある素材を用い、折り畳み時における受け部２５の厚みを吸収するため、図5に示されるように一方の中枠構成材２２と他方の中枠構成材２２を若干離して連結することが必要である。
【００１８】
図２は、中枠構成材２２の正面図であり、２つの側壁板部２０が曲折部２１で水平方向に連接された横長のものであり、側壁板部２０には、その上端部に補強折り返し片２７が、下端部に底板３の嵌合片３１の受け部２５を構成するための受け部構成片２８及びその先端に空部形成片２９が連設されている。
【００１９】
補強折り返し片２７は、側壁板部２０の横方向の長さより若干短く形成さており、側壁板部２０の外側に折り返され、側壁板部２０に密着させて接着固定される。
【００２０】
受け部構成片２８は、側壁板部２０の幅より若干短い横幅に形成したもので、その先端に、受け部構成片２８より更に幅の狭い空部形成片２９が形成されている。すなわち、空部形成片２９は、受け部構成片２８の両側に底板３の嵌合片３１の嵌合空部２６が形成可能な長さにされている。
【００２１】
受け部構成片２８は、側壁板部２０の内側に曲折され、その後に、空部形成片２９を側壁板部２０と受け部構成片２８との間に向かって曲折し、空部形成片２９を側壁板部２０の内側面に保持している。勿論、この部分の強度を上げるためには空部形成片２９を側壁板部２おに密着させて接着固定することが好ましい。このようにして、受け部構成片２８と側壁板部２０の内側に嵌合空部２６を形成する。
【００２２】
尚、中枠２の内側下部に形成された受け部２５の嵌合空部２６に底板３の嵌合片３１を差し込み嵌合し、受け部２５の上端全周に底板本体３０を当接させて、中枠２と底板３を組み立てる。
【図面の簡単な説明】
【００２３】
【図１】本実施例に係る組立型通箱の分解斜視図
【図２】実施例における中枠構成材の正面図
【図３】折り曲げ状態を示す中枠構成材の斜視図
【図４】折り畳み状態の中枠を示す正面図
【図５】同平面図
【図６】同部分拡大平面図
【図７】底板の平面図
【図８】同正面図
【図９】嵌合片を折り曲げた状態の正面図
【図１０】上蓋の平面図
【図１１】同正面図
【符号の説明】
【００２４】
１．．．．．．組立型通箱
２．．．．．．中枠
３．．．．．．底板
４．．．．．．上蓋
２０．．．．．側壁板部
２１．．．．．曲折部
２２．．．．．中枠構成材
２３．．．．．ヒンジ部材
２５．．．．．受け部
２６．．．．．嵌合空部
２７．．．．．補強折り返し片
２８．．．．．受け部構成片
２９．．．．．空部形成片
３０．．．．．底板本体
３１．．．．．嵌合片
３２．．．．．補強板
【図１】
2006225005.tif 000003
【図２】
2006225005.tif 000004
【図３】
2006225005.tif 000005
【図４】
2006225005.tif 000006
【図５】
2006225005.tif 000007
【図６】
2006225005.tif 000008
【図７】
2006225005.tif 000009
【図８】
2006225005.tif 000010
【図９】
2006225005.tif 000011
【図１０】
2006225005.tif 000012
【図１１】
2006225005.tif 000013